(57)【要約】【課題】  鍵盤装置において、鍵盤面の見栄えを良好に保ったまま、電気回路基板の不良発生を視覚で確認し易くする。【解決手段】  鍵盤装置は、白鍵３１，４１及び黒鍵５１からなる複数の鍵を有する鍵盤と、鍵盤の下方にて鍵盤の下面に対向して配置され、複数の鍵の押離鍵操作を検出する平板状の電気回路基板２０とを備えている。電気回路基板２０の上面における隣合う鍵の間の隙間に対向する位置に、濃色系の塗料の塗布により、複数の縞２３からなる縞模様が形成されている。隙間の中心線Ｃ１から縞２３の白鍵３１，４１側の外側端までの距離Ｌ１を、隙間の中心線Ｃ１から縞２３の黒鍵５１側の外側端までの距離Ｌ２よりも小さくする。【選択図】  図４
2016170211.tif 000002
【特許請求の範囲】
【請求項１】
白鍵及び黒鍵からなる複数の鍵を有する鍵盤と、
前記鍵盤の下方にて前記鍵盤の下面に対向して配置され、複数の鍵の押離鍵操作を検出する平板状の電気回路基板とを備え、
前記電気回路基板の上面における隣合う鍵の間の隙間に対向する位置に、濃色系の塗料の塗布により、複数の縞からなる縞模様を形成した鍵盤装置において、
前記隙間の中心線から前記縞の白鍵側の外側端までの距離を、前記隙間の中心線から前記縞の黒鍵側の外側端までの距離よりも小さくしたことを特徴とする鍵盤装置。
【請求項２】
白鍵側における前記縞の外側端を、黒鍵の側面の上端と前記黒鍵の側面に対向する白鍵の側面の下端とを通る平面が前記電気回路基板の上面と交差する直線よりも前記白鍵の幅方向の中心側に位置させ、かつ
黒鍵側における前記縞の外側端を、白鍵の側面の上端と前記白鍵の側面に対向する黒鍵の側面の下端とを通る平面が前記電気回路基板の上面と交差する直線よりも前記黒鍵の幅方向の中心側に位置させた請求項１に記載の鍵盤装置。
【発明の詳細な説明】
【技術分野】
【０００１】
本発明は、鍵盤の下方にて鍵盤に対向して配置され、複数の鍵の押離鍵操作を検出する平板状の電気回路基板を備えた鍵盤装置に関する。
【背景技術】
【０００２】
従来から、白鍵及び黒鍵からなる複数の鍵を有する鍵盤と、鍵盤の下方にて鍵盤の下面に対向して配置され、複数の鍵の押離鍵操作を検出する平板状の電気回路基板とを備えた鍵盤装置はよく知られている。そして、この種の鍵盤装置においては、例えば下記特許文献１に示されているように、隣合う鍵の間の隙間から電気回路基板が目立たないようにして、鍵盤面の見栄えを良好にするために、電気回路基板の上面における隣合う鍵の間の隙間に対向する位置に、濃色系の塗料の塗布により、それぞれ所定幅を有する複数の縞からなる縞模様が形成されている。また、この電気回路基板に形成された各縞の幅方向の中心線は、隣合う鍵の間の隙間の中心に位置している。
【先行技術文献】
【特許文献】
【０００３】
【特許文献１】特開２００１−６7０７５号公報
【発明の概要】
【０００４】
しかし、縞は濃色系であるために、各縞の幅が大きいと、電気回路基板の不良発生を視覚で確認し難くなるという問題がある。
【０００５】
本発明は、このような問題に対処するためになされたもので、その目的は、鍵盤面の見栄えを良好に保ったまま、電気回路基板の不良発生を視覚で確認し易くした鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、白鍵（３１，４１）及び黒鍵（５１）からなる複数の鍵を有する鍵盤と、鍵盤の下方にて鍵盤の下面に対向して配置され、複数の鍵の押離鍵操作を検出する平板状の電気回路基板（２０）とを備え、電気回路基板の上面における隣合う鍵の間の隙間に対向する位置に、濃色系の塗料の塗布により、複数の縞（２３）からなる縞模様を形成した鍵盤装置において、隙間の中心線（Ｃ１）から縞の白鍵側の外側端までの距離（Ｌ１）を、隙間の中心線（Ｃ２）から縞の黒鍵側の外側端までの距離（Ｌ２）よりも小さくしたことにある。
【０００７】
この場合、白鍵側における縞の外側端を、黒鍵の側面の上端と前記黒鍵の側面に対向する白鍵の側面の下端とを通る平面（Ｐ１）が電気回路基板の上面と交差する直線（Ｘ１）よりも前記白鍵の幅方向の中心側に位置させ、かつ黒鍵側における縞の外側端を、白鍵の側面の上端と前記白鍵の側面に対向する黒鍵の側面の下端とを通る平面（Ｐ２）が電気回路基板の上面と交差する直線（Ｘ２）よりも前記黒鍵の幅方向の中心側に位置させるとよい。
【０００８】
鍵盤を上方から見た場合、隣合う鍵の間の隙間の下方において、見える範囲は黒鍵側に比べて白鍵側の方が狭い。これは、黒鍵の側面の上端及び下端が白鍵の側面の上端及び下端よりもそれぞれ高く位置するからである。したがって、前記本発明のように、隙間の中心線から縞の白鍵側の外側端までの距離を、隙間の中心線から縞の黒鍵側の外側端までの距離よりも小さくしても、鍵盤を上方から見たとき、濃色系の縞が見えるだけで、電気回路基板の上面を目立たないように調整できる。その結果、本発明によれば、各縞の幅を狭めることができ、鍵盤面の見栄えを良好に保ったうえで、電気回路基板の不良発生を視覚で確認し易くなる。
【図面の簡単な説明】
【０００９】
【図１】本発明の一実施形態に係る鍵盤装置の１オクターブを示す概略斜視図である。
【図２】図1の鍵盤装置の平面図である。
【図３】図１の上カバーを外した状態にある鍵盤装置の側面図である。
【図４】（Ａ）は電気回路基板の一部を示す上面図であり、（Ｂ）は（Ａ）のＢ部分の拡大図である。
【図５】手前側から見た電気回路基板、白鍵及び黒鍵の位置関係を示す図である。
【発明を実施するための形態】
【００１０】
以下、本発明の一実施形態に係る鍵盤装置について、図面を用いて説明する。図１は鍵盤装置の１オクターブを示す概略斜視図であり、図２は図1の鍵盤装置の平面図であり、図３は図１の鍵盤装置の側面図である。なお、本明細書においては、演奏者側（図１の左下側及び図２の下側）を鍵盤装置の前方とし、演奏者と反対側（図１の右上側及び図２の上側）を鍵盤装置の後方とする。そして、演奏者の左右方向（図１の左上から右下方向及び図２の左右方向）を鍵盤装置の左右方向とする。
【００１１】
鍵盤装置は、鍵盤の下方にて、鍵盤楽器内に固定された鍵フレーム１０を有する。鍵フレーム１０は、金属、樹脂などにより一体的に形成されて、左右及び前後方向に水平に延設されて左右方向に長尺状の平板状部材である。鍵フレーム１０の前後方向の中間部及び後端部には、左右方向の適宜箇所にて、複数の支持部１１，１２がそれぞれ設けられている。支持部１１，１２は、円筒状に鍵フレーム１０と一体的に形成されて、鍵フレーム１０の上面から上方に突出し、内部に雌ねじが形成されている。支持部１１の上面には、電気回路基板２０が載置されて固定されている。支持部１２の上面には、電気回路基板２０に加えて、詳しくは後述する樹脂でそれぞれ一体成型した第１乃至第３鍵ユニット３０，４０，５０からなる鍵盤も載置されて固定されている。
【００１２】
鍵フレーム１０における支持部１１よりも若干前方に位置する部分には、白鍵３１，４１及び黒鍵５１の押鍵時に白鍵３１，４１及び黒鍵５１の前端部の下方への変位を規制する下限ストッパ部１３が設けられている。下限ストッパ部１３は、前端が後端より若干低くなるように上方にコ字状に突出するとともに、左右方向に延設されて鍵フレーム１０と一体的に形成されている。下限ストッパ部１３の上面には、白鍵３１，４１及び黒鍵５１との衝突緩和のために、左右方向に延設された長尺状のフェルト等の緩衝材１４が張り付けられている。
【００１３】
電気回路基板２０は、樹脂などにより一体的に平板状かつ左右方向に長い長方形状に形成され、その上面には、ラバードームスイッチで構成した鍵スイッチ２１が配置されるとともに、図示しない電気回路部品、電気配線パターン（銅箔パターン）などが設けられている。なお、電気回路基板２０の上面に関しては詳しく後述する。電気回路基板２０の前端部であって支持部１１の前方位置の下面には、白鍵３１，４１及び黒鍵５１との衝突緩和のために、左右方向に延設された長尺状のフェルト等の緩衝材２２が張り付けられている。電気回路基板２０及び緩衝材２２は、白鍵３１，４１及び黒鍵５１の離鍵時に白鍵３１，４１及び黒鍵５１の前端部の上方への変位を規制する。
【００１４】
電気回路基板２０の前部には、鍵フレーム１０の支持部１１の位置に対応した位置に、支持部１１の雌ねじに螺合する雄ねじを貫通させるための図示しないねじ用の貫通孔が設けられている。また、電気回路基板２０の後端部には、鍵フレーム１０の支持部１２に対応した位置に、支持部１２の雌ねじに螺合する雄ねじを貫通させるための図示しないねじ用の貫通孔も設けられている。さらに、電気回路基板２０の後端部の適宜箇所には、第１鍵ユニット３０の後述する共通取付け部３３の下面に設けた位置決め用の突起を圧入させるための図示しない位置決め用の貫通孔が設けられているとともに、共通取付け部３３の下面に設けた突出片３３ｆを貫通させるための図示しない貫通孔も設けられている。
【００１５】
鍵フレーム１０の後端部の上方には、左右方向に延設された上カバー１５が設けられている。上カバー１５は、第１乃至第３鍵ユニット３０，４０，５０の後端部（白鍵３１，４１及び黒鍵５１の後端よりも若干後方位置から後方の部分）を覆って、外観を良好に保つための部材である。
【００１６】
第１鍵ユニット３０は、音名Ｃ，Ｅ，Ｇ，Ｂにそれぞれ対応した４つの白鍵３１を有する。白鍵３１は、上壁、前壁、左右側壁及び後壁からなり、内部を下方に開口させた方形状の空間を形成している。上壁及び左右側壁には、黒鍵５１のスペースを確保するために段部が設けられている。白鍵３１の下面における前後方向の中間位置には、白鍵３１の下面から下方に延設されて後方を開放させた前壁及び左右側壁からなる横断面コ字状の係合片３１ａが、白鍵３１と一体的に形成されている。係合片３１ａの下面は、白鍵３１の押鍵時に緩衝材１４に当接して白鍵３１の前端部の下方への変位を規制する。係合片３１ａの左右側壁の下端部には、左右側壁の後面から後方に突出した一対の突出部３１ａ１が設けられている。この突出部３１ａ１は、その上面を白鍵３１の離鍵時に緩衝材２２に当接させて、白鍵３１の前端部の上方への変位を規制する。また、白鍵３１の下面における前後方向の中間位置であって、電気回路基板２０に設けた鍵スイッチ２１と対向する位置には、白鍵３１の押鍵時に鍵スイッチ２１を押圧する押圧部３１ｂが設けられている。
【００１７】
これらの４つの白鍵３１の後壁は、ヒンジ部３２を介して共通取付け部（レール部）３３にそれぞれ接続されている。ヒンジ部３２及び共通取付け部３３は、白鍵３１と一体成型されている。ヒンジ部３２は、上下方向に弾性変形して、白鍵３１の押離鍵時に白鍵３１の前端部を上下に揺動させる。共通取付け部３３は、前後方向の縦断面を略方形状とする左右方向に長尺状の部材であり、下面に左右方向に延設された凹部を有するとともに、上面に左右方向に延設された凸部を有する。
【００１８】
共通取付け部３３における鍵フレーム１０の支持部１２に対応した位置には、支持部１２の雌ねじに螺合する雄ねじを貫通させるための図示しないねじ用の貫通孔も設けられている。また、共通取付け部３３の下面には、電気回路基板２０の後端部に設けた位置決め用の貫通孔に圧入する図示しない位置決め用の突起も設けられている。また、共通取付け部３３の適宜箇所には、第２鍵ユニット４０の後述する共通取付け部４３の下面に設けた位置決め用の突起を圧入させるために、図示しない位置決め用の貫通孔も設けられている。さらに、共通取付け部３３の下面の左右方向の適宜箇所には、第1鍵ユニット３３を電気回路基板２０に組み付ける際にガイド機能を果たす、下方に突出した突出片３３ｆも設けられている。
【００１９】
第２鍵ユニット４０は、音名Ｄ，Ｆ，Ａにそれぞれ対応した３つの白鍵４１を有する。白鍵４１も、上壁、前壁、左右側壁及び後壁からなり、内部を下方に開口させた方形状の空間を形成している。白鍵４１の前後方向長さ及び高さは白鍵３１の場合と同じであり、上壁及び左右側壁には黒鍵５１のスペースを確保するための段部が設けられている。また、白鍵４１の下面における前後方向の中間位置には、白鍵３１の係合片３１ａ及び押圧部３１ｂと同様な突出部を有する係合片及び押圧部（図示省略）が設けられている。
【００２０】
これらの３つの白鍵４１の後壁は、ヒンジ部４２を介して共通取付け部４３にそれぞれ接続されている。ヒンジ部４２及び共通取付け部４３は、白鍵４１と一体成型されている。ヒンジ部４２及び共通取付け部４３は、第１鍵ユニット３０のヒンジ部３２及び共通取付け部３３と同様に構成されている。ただし、ヒンジ部４２及び共通取付け部４３は、第１鍵ユニット３０のヒンジ部３２及び共通取付け部３３よりも上方に位置する。
【００２１】
共通取付け部４３における鍵フレーム１０の支持部１２に対応した位置には、支持部１２の雌ねじに螺合する雄ねじを貫通させるための図示しないねじ用の貫通孔も設けられている。また、共通取付け部４３の下面には、第１鍵ユニット３０の共通取付け部３３に設けた位置決め用の貫通孔に圧入する図示しない位置決め用の突起も設けられている。さらに、共通取付け部４３の適宜箇所には、第３鍵ユニット５０の後述する共通取付け部５３の下面に設けた位置決め用の突起を圧入させるために、図示しない位置決め用の貫通孔も設けられている。
【００２２】
第３鍵ユニット５０は、音名Ｃ＃，Ｄ＃，Ｆ＃，Ｇ＃，Ａ＃にそれぞれ対応した５つの黒鍵５１を有する。黒鍵５１も、上壁、前壁、左右側壁及び後壁からなり、内部を下方に開口させた方形状の空間を形成している。ただし、黒鍵５１の前後方向長さは白鍵３１，４１の前後方向長さよりも短く、黒鍵５１の高さは白鍵３１，４１の高さよりも高い。黒鍵５１の前壁の上部は、下方に向かって前方に位置するように傾斜している。黒鍵５１の下面における前端位置には、白鍵３１の係合片３１ａと同様な突出部を有する係合片（図示省略）が設けられている。また、黒鍵５１の下面における中間位置には、白鍵３１の押圧部３１ｂと同様な押圧部（図示省略）が設けられている。
【００２３】
これらの５つの黒鍵５１の後壁は、ヒンジ部５２を介して共通取付け部５３にそれぞれ接続されている。ヒンジ部５２及び共通取付け部５３は、黒鍵５１と一体成型されている。ヒンジ部５２及び共通取付け部５３は、第１及び第２鍵ユニット３０，４０のヒンジ部３２，４２及び共通取付け部３３，４３と同様に構成されている。ただし、ヒンジ部５２及び共通取付け部５３は、第２鍵ユニット４０のヒンジ部４２及び共通取付け部４３よりも上方に位置する。
【００２４】
共通取付け部５３における鍵フレーム１０の支持部１２に対応した位置には、支持部１２の雌ねじに螺合する雄ねじを貫通させるための図示しないねじ用の貫通孔も設けられている。また、共通取付け部５３の下面には、第２鍵ユニット４０の共通取付け部４３に設けた位置決め用の貫通孔に圧入する図示しない位置決め用の突起も設けられている。また、共通取付け部５３の後端部における左右方向の適宜箇所には、フック部５３ｆが下方に延設されている。フック部５３ｆの下端部には、前方に突出され、上面を平面にして縦断面形状を３角形状とする係止用爪が設けられている。第１乃至第３鍵ユニット３０，４０，５０を電気回路基板２０に組み付ける際に、このフック部５３ｆの係止用爪が電気回路基板２０の下面後端部に係合する。
【００２５】
このように構成した第１乃至第３鍵ユニット３０，４０，５０及び電気回路基板２０の鍵フレーム１０への組付けについて説明しておく。まず、第１鍵ユニット３０の共通取付け部３３の上面に第２鍵ユニット４０の共通取付け部４３を載置して、第２鍵ユニット４０を第１鍵ユニット３０に組付ける。この場合、共通取付け部３３の凸部を共通取付け部４３の凹部に勘合させるとともに、共通取付け部４３の下面に設けた位置決め用の突起を共通取付け部３３の位置決め用の貫通孔に圧入する。次に、第１鍵ユニット３０上に組付けられた第２鍵ユニット４０の共通取付け部４３上に第３鍵ユニット５０の共通取付け部５３を載置して、第３鍵ユニット５０を第２鍵ユニット４０に組付ける。この場合、共通取付け部４３の凸部を共通取付け部５３の凹部に勘合させるとともに、共通取付け部５３の下面に設けた位置決め用の突起を共通取付け部４３の位置決め用の貫通孔に圧入する。これにより、第１乃至第３鍵ユニット３０，４０，５０からなる鍵盤が完成する。
【００２６】
次に、鍵フレーム１０の支持部１１に電気回路基板２０の前部に設けたねじ用の貫通孔を合わせて、電気回路基板２０を支持部１１，１２上に載置する。そして、図示しない雄ねじを電気回路基板２０の上面からねじ用の貫通孔に貫通させて、支持部１１に設けた雌ねじに侵入させるとともに螺合させて、電気回路基板２０を鍵フレーム１０に組付ける。なお、緩衝材１４，２２に関しては、鍵フレーム１０の下限ストッパ部１３及び電気回路基板２０の前端部の下面に事前にそれぞれ固着されている。
【００２７】
次に、第１乃至第３鍵ユニット３０，４０，５０からなる鍵盤を、電気回路基板２０上に組付ける。この場合、白鍵３１，４１及び黒鍵５１の係合片３１ａ，４１ａ，５１ａの突出部３１ａ１，４１ａ１，５１ａ１を電気回路基板２０の前端部の下面にそれぞれ係合させながら、第１鍵ユニット３０の突出片３３ｆを電気回路基板２０の図示しない貫通孔に貫通させる。そして、第１鍵ユニット３０の共通取付け部３３を電気回路基板２０の後端部上に載置し、第３鍵ユニット５０のフック部５３ｆの係止用爪を電気回路基板２０の後端部の下面に係合させる。また、共通取付け部３３の下面に設けた位置決め用の突起を、電気回路基板２０の後端部に設けた位置決め用の貫通孔に圧入する。そして、第１乃至第３鍵ユニット３０，４０，５０の共通取付け部３３，４３，５３及び電気回路基板２０に設けたねじ用の貫通孔に、図示しない雄ねじを上方から貫通させて、支持部１２に設けた雌ねじに侵入させるとともに螺合させる。この状態では、電気回路基板２０は、複数の白鍵３１，４１及び黒鍵５１からなる鍵盤の下方にて、その上面を鍵盤の下面に対向させて位置する。その後、上カバー１５を鍵フレーム１０の図示しない接合部に接続して、第１乃至第３鍵ユニット３０，４０，５０の後端部を覆う。
【００２８】
このようにして構成された鍵盤装置における、電気回路基板２０、白鍵３１（４１）及び黒鍵５１の位置関係について図面を用いて説明しておく。図５は、鍵盤装置の前側から見た電気回路基板２０、白鍵３１（４１）及び黒鍵５１の位置関係を示す図である。白鍵３１（４１）及び黒鍵５１は、隙間を隔てて左右に位置する。黒鍵５１の側面の上端は、白鍵３１（４１）の側面の上端よりもかなり高く位置する。また、黒鍵５１の側面の下端は、白鍵３１（４１）の側面の下端よりも若干高く位置する。
【００２９】
次に、電気回路基板２０の上面について詳しく説明する。電気回路基板２０は、前述のように鍵フレーム１０の支持部１１，１２の上面に固定されて、その上面を第１乃至第３鍵ユニット３０，４０，５０からなる鍵盤の下面に対向させている。図４（Ａ）は電気回路基板２０の一部を示す上面図であり、図４（Ｂ）は図４（Ａ）のＢ部分の拡大図である。なお、図４（Ａ）（Ｂ）においても、電気回路基板２０上の鍵スイッチ２１、電気部品、配線パターンなどは省略されている。
【００３０】
白鍵３１，４１及び黒鍵５１を鍵フレーム１０に固定した状態では、白鍵３１，４１及び黒鍵５１の間には、前後方向に延びた隙間が存在する。この隙間に対向する電気回路基板２０の上面には、黒色の塗料（例えば、黒インク）が塗布されて複数の縞２３からなる縞模様が形成されている。各縞２３は、前後方向に直線状に延設され、左右方向に所定の幅を有する長尺の長方形状である。すなわち、各縞２３は、白鍵３１，４１及び黒鍵５１の間の隙間の左右方向の中心に対向する中心線Ｃ１に対して、白鍵３１，４１側及び黒鍵５１側にそれぞれ所定幅を有する。そして、前記隙間の中心線Ｃ１から縞２３の白鍵３１，４１側の外側端までの距離をＬ１とし、前記隙間の中心線Ｃ１から黒鍵５１側の縞２３の外側端までの距離をＬ２とすると、距離Ｌ１は距離Ｌ２よりも小さい。
【００３１】
この距離Ｌ１，Ｌ２について、さらに具体的に説明する。図５に示すように、黒鍵５１の側面の上端と、黒鍵５１の側面に対向する白鍵３１（４１）の側面の下端とを通る平面Ｐ１が電気回路基板２０の上面と交差する直線をＸ１とする。また、白鍵３１（４１）の側面の上端と、白鍵３１（４１）の側面に対向する黒鍵５１の側面の下端とを通る平面Ｐ２が電気回路基板２０の上面と交差する直線をＸ２とする。この直線Ｘ１，Ｘ２の間の範囲が、鍵盤の上方から電気回路基板２０の上面の見える範囲である。この場合、白鍵３１（４１）の下面に対向する電気回路基板２０の上面の見える範囲の左右幅は、黒鍵５１の下面に対向する電気回路基板２０の上面の見える範囲の左右幅に比べて狭い。
【００３２】
そして、本実施形態においては、白鍵３１（４１）側における縞２３の外側端は、直線Ｘ１から僅かな距離だけ、白鍵３１（４１）の幅方向の中心側に位置する。また、黒鍵５１側における縞２３の外側端は、直線Ｘ２から僅かな距離だけ、黒鍵５１の幅方向の中心側に位置する。すなわち、中心線Ｃ１から直線Ｘ１までの距離をＬ３とするとともに、中心線Ｃ１から直線Ｘ２までの距離をＬ４とすると、距離Ｌ１，Ｌ２，Ｌ３，Ｌ４は、Ｌ３＜Ｌ１＜Ｌ３＋ΔＬ、Ｌ４＜Ｌ２＜Ｌ４＋ΔＬの関係にある。なお、値ΔＬは極めて小さな値である。
【００３３】
このように構成した鍵盤装置においては、演奏者が白鍵３１，４１及び黒鍵５１を押鍵操作すると、白鍵３１，４１及び黒鍵５１はヒンジ部３２，４２，５２の弾性変形により、共通取付け部３３，４３，５３を中心に揺動して、それらの前端部を下方へ変位させる。そして、白鍵３１，４１及び黒鍵５１の係合片３１ａ，４１ａ，５１ａの下面が緩衝材１４の上面に当接すると、白鍵３１，４１及び黒鍵５１の揺動は停止される。一方、前記押鍵された白鍵３１，４１及び黒鍵５１が離鍵されると、白鍵３１，４１及び黒鍵５１はヒンジ部３２，４２，５２及び鍵スイッチ２１の復元力により、それらの前端部を上方へ変位させる。そして、白鍵３１，４１及び黒鍵５１の係合片３１ａ，４１ａ，５１ａの突出部３１ａ１，４１ａ１，５１ａ１の上面が緩衝材２２の下面に当接すると、白鍵３１，４１及び黒鍵５１は元の位置（離鍵状態）に復帰する。
【００３４】
このような白鍵３１，４１及び黒鍵５１の押離鍵操作により、押圧部３１ｂが電気回路基板２０上に設けた鍵スイッチ２１をオン・オフさせる。この鍵スイッチ２１のオン・オフにより、押離鍵操作された白鍵３１，４１及び黒鍵５１に対応した楽音信号の発生が制御される。
【００３５】
上記のように構成されかつ動作する鍵盤装置においては、演奏者が演奏しているとき、演奏者は、白鍵３１，４１及び黒鍵５１の間の隙間を介して電気回路基板２０の上面を見ることになる。また、鍵盤装置を演奏していない場合でも、鍵盤装置を上方からみれば、誰もが白鍵３１，４１及び黒鍵５１の間の隙間を介して電気回路基板２０の上面を見ることになる。
【００３６】
この場合、前述のように、鍵盤の上方から電気回路基板２０の上面の見える範囲は直線Ｘ１，Ｘ２の間の範囲であり、白鍵３１（４１）の下面に対向する電気回路基板２０の上面の見える範囲の左右幅は、黒鍵５１の下面に対向する電気回路基板２０の上面の見える範囲の左右幅に比べて狭い。そして、本実施形態では、白鍵３１（４１）側における縞２３の外側端は、直線Ｘ１から僅かな距離だけ、白鍵３１（４１）の幅方向の中心側に位置する（Ｌ３＜Ｌ１＜Ｌ３＋ΔＬ）。また、黒鍵５１側における縞２３の外側端は、直線Ｘ２から僅かな距離だけ、黒鍵５１の幅方向の中心側に位置する（Ｌ４＜Ｌ２＜Ｌ４＋ΔＬ）。
【００３７】
したがって、上記実施形態においては、鍵盤を上方から見たとき、黒色の縞２３が見えるだけで、電気回路基板２０の上面は目立たない。また、白鍵３１（４１）及び黒鍵５１の間の隙間の中心線Ｃ１から縞２３の白鍵３１（４１）側の外側端までの距離Ｌ１を短くしたので、縞２３の左右幅を狭めることができる。その結果、上記実施形態によれば、鍵盤面の見栄えを良好に保ったうえで、電気回路基板２０の電気パターンなどの不良発生を視覚で確認し易くなる。
【００３８】
なお、本発明に係る鍵盤装置は、上記実施形態に限定されるものではなく、適宜変更して実施することが可能である。
【００３９】
上記実施形態では、電気回路基板２０の上面に黒色の塗料を塗布して複数の縞２３からなる縞模様を形成し、電気回路基板２０の上面を目立たないようにして、鍵盤面の見栄えを良好にするようにした。しかし、この黒色の塗料に代えて、目立たない濃色系の塗料を電気回路基板２０の上面に塗布して複数の縞２３からなる縞模様を形成するようにしてもよい。この場合、濃色系の塗料として、例えば、濃い灰色、濃い青色などの塗料を用いることができる。
【００４０】
また、上記実施形態では、第１乃至第３鍵ユニット３０，４０，５０の共通取付け部３３，４３，５３を積層して、複数の白鍵３１，４１及び黒鍵５１からからなる鍵盤を構成した。しかし、本発明は、複数の白鍵３１，４１及び黒鍵５１が、それらの前端部を上下に揺動可能に鍵フレーム１０に支持されていれば、どのような構造の鍵盤装置にも適用され得る。
【符号の説明】
【００４１】
１０…鍵フレーム、１１，１２…支持部、２０…電気回路基板、２１…鍵スイッチ、２３…縞、３０…第１鍵ユニット、４０…第２鍵ユニット、５０…第３鍵ユニット、３１，４１…白鍵、５１…黒鍵
【図１】
2016170211.tif 000003
【図２】
2016170211.tif 000004
【図３】
2016170211.tif 000005
【図４】
2016170211.tif 000006
【図５】
2016170211.tif 000007